(57)【要約】【課題】本考案は、商品と該商品の内容及びその価格等を説明する各種情報とが一致していることが一目瞭然であり、当該商品を顧客にアピールすることができると同時に、商品の説明や価格等の必要とする情報を間違えることがなく、必要とする商品を確実に得ることのできる商品表示装置を提供することを目的とする。【解決手段】商品の内容及びその価格等の商品情報を該商品とは別体の立体状の造形物と一体となる商品情報体に表示したことを特徴とする商品表示装置。【選択図】図1
0003122833.tif 000002
【実用新案登録請求の範囲】
【請求項１】
商品の内容及びその価格等の商品情報を該商品とは別体の立体状の造形物と一体となる商品情報体に表示したことを特徴とする商品表示装置。
【請求項２】
商品情報体をカード状のもの或いは造形物への直接印刷又は印刷物の貼付等とし、該カード状のものにあっては造形物の一部に挿入或いは装着若しくは造形物をカード状のものに取着することにより該造形物と一体としてなることを特徴とする請求項１に記載の商品表示装置。
【考案の詳細な説明】
【技術分野】
【０００１】
本考案は、商品の展示において、商品情報体により該商品の内容或いはその価格等を得ることのできる商品表示装置に関する。
【背景技術】
【０００２】
ショーケースや自動販売機等において商品本体或いは商品見本を展示し、顧客に該商品に対する購買意欲をそそることはよく行なわれている。従来の商品本体或いは商品見本（以下、単に商品という）を展示する手段としては、当該商品をガラスケースや陳列棚等に配設しているが、該商品の内容説明は、販売員が行なうか、或いは内容を説明する表示物が商品を包む包装紙の表面に貼付されていることが一般的であった。
【特許文献１】実開平４−６１２８４号公報
【０００３】
また、上記文献のように、偏平状の商品データ表示器を商品に近接した位置に配置し、該商品の情報を記載したカードを該商品データ表示器に取着して商品の説明をしているものがある。
【考案の開示】
【考案が解決しようとする課題】
【０００４】
上記のように、店員がそのつど説明する手段は手間のかかることであるし、また、表示物が直接商品に貼付されているものは、文字が小さなことが一般的で可視することが困難なことが多かった。また、上記文献のように、カード収納部にカードを挿入して商品の情報を示す手段は、顧客の立場からすると、商品とカードとが分離しているため該カードの表示と商品との一致性を間違って判断してしまうおそれがあり、その間違った情報に基づいて商品を購入し、必要とする商品を得ることができないということが多々生じていた。
【０００５】
本考案は、上記欠点に鑑み、商品と該商品の内容及びその価格等を説明する各種情報とが一致していることが一目瞭然であり、当該商品を顧客にアピールすることができると同時に、商品の説明や価格等の必要とする情報を間違えることがなく、必要とする商品を確実に得ることのできる商品表示装置を提供することを目的とする。
【課題を解決するための手段】
【０００６】
本考案は、上記目的を達成するため、  商品の内容及びその価格等の商品情報を該商品とは別体の立体状の造形物と一体となる商品情報体に表示した商品表示装置を特徴とする。
【０００７】
また、商品情報体をカード状のもの或いは造形物への直接印刷又は印刷物の貼付等とし、該カード状のものにあっては造形物の一部に挿入或いは装着若しくは造形物をカード状のものに取着することにより該造形物と一体としてなる商品表示装置を特徴とする。
【考案の効果】
【０００８】
本考案の商品表示装置は、商品に近接した位置に配置される立体状の造形物により、商品の各種情報を提供することを可能としたもので、それにより、商品との一体性を明確とし、顧客に対して購入しようとする商品とその商品情報とにおいて間違いが生じることがなくなった。
【０００９】
また、本考案の商品表示装置により商品や商品の個数等の内容物或いは価格等の各種商品情報を明らかにすることができるので顧客は安心して該商品を購入することが可能となった。
【００１０】
更に、本考案の商品表示装置は、立体状の造形物を使用することにより、商品と近接した位置において別体として安定した状態での配設を可能とした。
【考案を実施するための最良の形態】
【００１１】
以下、本考案の商品表示装置について図面を参照しながら説明をする。
【００１２】
図１は、本考案の商品表示装置１が商品Ａとともに使用されている具体例を示した斜視図である。該商品表示装置１は、商品Ａに隣接した箇所に配置され、該商品Ａそのもの或いは類似した形状又は商品Ａの内容物によってはその他の立体形状のものが選定される。設置に安定した立体状の造形物が使用される。商品の内容物と一致しない形状の造形物としては食品、動物或いは各種キャラクター等の形状のものが使用され、何等かの手段により商品Ａとの関連性を明確とすることにより該商品Ａとの一致性をアピールすることができるものであることが望ましい。
【実施例１】
【００１３】
図２（ａ）〜（ｄ）は、本考案の商品表示装置１の一実施例を示している。ヒヨコの形状をした造形物２で、（ａ）、（ｂ）にあっては該造形物２の口の割れ目４にカード状の商品情報体３を挿入して配置している。該商品情報体３の縦及び横の大きさは、文字や図形の大きさが容易に可視することができ、且つ該造形物２が隠蔽されない程度のものとする。また、口に挿入する場合、縦方向となる高さを口の割れ目４の位置から造形物２の底５までとし、上端側を後方に倒して配置することによる傾斜を考慮してやや大きめにすると安定感がよいものとなる。
図２（ｃ）、（ｄ）は、他の実施例で、ヒヨコの背中に溝６を形成し、該溝６に商品情報体３’を上端側を後方に倒すことにより見やすくなるようにして挿入配置している。
【００１４】
上記商品情報体３、３’に示される情報としては、商品の価格、商品の個数等が必要最低限のものとなるが、その他、商品の説明や生産地等の各種情報も適宜選択することができる。また、該造形物２が商品Ａを示す形状でない場合、例えば、食品の形状、各種動物の形状或いはキャラクターの形状等の場合には当該商品Ａを示す絵や写真等の何等かの商品情報手段とともに表示することが該商品Ａとの関連性において有効である。
【実施例２】
【００１５】
図３（ａ）、（ｂ）は、本考案の商品表示装置１’の他の実施例を示している。この実施例は、造形物７の本体に商品の各種情報を表示したものを直接印刷するか或いはそれらを印刷したシール状のものを貼付することにより商品情報体８としている。
【実施例３】
【００１６】
図４（ａ）、（ｂ）は、本考案の商品表示装置１”の他の実施例を示している。この実施例では、造形物９の本体の適宜箇所に商品情報体１０を装着している。装着手段としては、紐や鉤状のもの等の適宜な吊り下げ物１１が使用できる。造形物９に装着できる手段であれば適宜なものを選択することができる。図４のものにあっては首に紐を介して吊り下げている。
【実施例４】
【００１７】
図５は、商品Ｂが容器１２内に完全に密封された状態で収納されている例である。この場合、容器１２内のものは外からは可視することができない。従って、本考案の商品表示装置１３が極めて有効な手段となる。この実施例では、容器１２内には商品Ｂとしてバウムクーヘンが入っているが、それと同様の形状をした造形物１４を容器１２の手前側に展示する。商品情報体１５は、造形物１４に形成された溝１６にその下端部を挿入し、上端側を後方に倒したやや斜めの状態として立設している。該商品情報体１５には上記実施例と同様に各種商品情報を記載表示している。
【００１８】
図６（ａ）、（ｂ）に示すものは、図５における造形物１４に商品情報体１５を挿入した状態の商品表示装置１３の側面図及び斜視図を示している。
【実施例５】
【００１９】
図７（ａ）、（ｂ）は、造形物１７の側面に商品情報体１８を直接印刷或いは印刷したシール状のものを貼付した状態を示す商品表示装置１３’の側面図と斜視図である。
【実施例６】
【００２０】
図８は、造形物１９の一部を上面側から斜め下方に向けて切除してカット面を形成し、該カット面に各種情報を表示した商品情報体２０を直接印刷或いは印刷したシール状のものを貼付した商品表示装置１３”を示している。
【実施例７】
【００２１】
図９は、商品Ｃに隣接した位置に商品表示装置２１を配設した状態を示している。該商品表示装置２１は陳列台端部２２に、商品の各種情報を表示したカード状の商品情報体２３の裏面側への折り曲げ部２４を引っ掛けることにより保持している。該商品情報体２３には上記各種情報の表示の他、商品Ｃと一致する立体状の造形物２５を接着剤やその他の適宜手段により取着することにより商品表示装置２１としている。
【実施例８】
【００２２】
図１０は、上記実施例７と同様、商品Ｄに隣接した位置に商品表示装置２６を配設した状態を示している。該商品表示装置２６は陳列台端部２７に、板状体２８の裏面側への折り曲げ部２９を引っ掛けることにより保持している。該板状体２３には立体状の造形物３０を取着し、該造形物３０には商品の各種情報を表示したものを直接印刷或いはそれらを印刷したシール状のものを貼付することにより商品情報体３１としている。
【実施例９】
【００２３】
図１１は、実施例７と同様、商品Ｅに隣接した位置に商品表示装置３２を配設した状態を示している。該商品表示装置３２は陳列台端部３３に、商品の各種情報を表示したカード状の商品情報体３４の裏面側への折り曲げ部を引っ掛けることにより保持している。該商品情報体３４には上記各種情報の表示の他、商品Ｅと一致する立体状の造形物３５を取着することにより商品表示装置３２としている。
【実施例１０】
【００２４】
図１２における商品Ｆは缶入りコーヒーで、商品表示装置３６はカード状の商品情報体３７と該商品情報体３７の表面に取着した商品Ｆと一致するか似せた形状の立体状の造形物３８とより形成している。
【図面の簡単な説明】
【００２５】
【図１】本考案の商品表示装置の一実施例の使用状態を示す斜視図。
【図２】本考案の商品表示装置の実施例の（ａ）側面図、（ｂ）斜視図、他の実施例の（ｃ）側面図、（ｄ）斜視図。
【図３】本考案の商品表示装置の他の実施例の（ａ）側面図、（ｂ）斜視図。
【図４】本考案の商品表示装置の他の実施例の（ａ）側面図、（ｂ）斜視図。
【図５】本考案の商品表示装置の他の実施例の使用状態を示す斜視図。
【図６】本考案の商品表示装置の他の実施例の（ａ）側面図、（ｂ）斜視図。
【図７】本考案の商品表示装置の他の実施例の（ａ）側面図、（ｂ）斜視図。
【図８】本考案の商品表示装置の他の実施例の斜視図。
【図９】本考案の商品表示装置の他の実施例の（ａ）使用状態を示す斜視図、（ｂ）側面図、（ｃ）斜視図。
【図１０】本考案の商品表示装置の他の実施例の（ａ）使用状態を示す斜視図、（ｂ）側面図、（ｃ）斜視図。
【図１１】本考案の商品表示装置の他の実施例の使用状態を示す斜視図。
【図１２】本考案の商品表示装置の他の実施例の（ａ）使用状態を示す斜視図、（ｂ）側面図、（ｃ）斜視図。
【符号の説明】
【００２６】
１、１３、２１、２６、３２、３６                        商品表示装置
２、７、９、１４、１７、１９、２５、３０、３５、３８    造形物
３、８、１０、１５、１８、２０、２３、３１、３４、３７  商品情報体
４                                                      割れ目
５                                                      底
６、１６                                                溝
１１                                                      紐
１２                                                      容器
２２、２７、３３、                                        陳列台端部
２４、２９                                                折り曲げ部
２８                                                      板状体
【図１】
0003122833.tif 000003
【図２】
0003122833.tif 000004
【図３】
0003122833.tif 000005
【図４】
0003122833.tif 000006
【図５】
0003122833.tif 000007
【図７】
0003122833.tif 000008
【図８】
0003122833.tif 000009
【図１０】
0003122833.tif 000010
【図１１】
0003122833.tif 000011
【図１２】
0003122833.tif 000012
【図６】
0003122833.tif 000013
【図９】
0003122833.tif 000014